(57)【要約】【課題】主送水管路と副送水管路の二系統の送水管路が内蔵された内視鏡において、主送水管路内を洗浄する際に同時に副送水管路内も確実に洗浄されるようにした内視鏡の配管接続部を提供すること。【解決手段】送水タンク受け口金１３内と注水器具受け口金２０内とを連通させる連通路２１を設けると共に、送水タンク４０の接続口金４１が送水タンク受け口金１３に接続された状態では連通路２１を閉じ、管路内洗浄水を注入するための洗浄水注入管６０の接続口金６１が送水タンク４０の接続口金４１に代えて送水タンク受け口金１３に接続された状態においては連通路２１を開く連通路開閉弁２７を設ける。【選択図】      図１
2005211375.tif 000002
【特許請求の範囲】
【請求項１】
挿入部の先端から放水する水を通すための主送水管路と副送水管路の二系統の送水管路が配管されて、上記主送水管路に送り込む水を貯留する送水タンクの接続口金が着脱自在に接続される送水タンク受け口金と、上記副送水管路に水を送り込むための注水器具が着脱自在に接続される注水器具受け口金とが併設された内視鏡の配管接続部において、
上記送水タンク受け口金内と上記注水器具受け口金内とを連通させる連通路を設けると共に、上記送水タンクの接続口金が上記送水タンク受け口金に接続された状態では上記連通路を閉じ、管路内洗浄水を注入するための洗浄水注入管の接続口金が上記送水タンクの接続口金に代えて上記送水タンク受け口金に接続された状態においては上記連通路を開く連通路開閉弁を設けたことを特徴とする内視鏡の配管接続部。
【請求項２】
上記連通路開閉弁が、上記送水タンク受け口金に何も接続されていない状態では上記連通路を閉塞していて、上記送水タンク受け口金に上記洗浄水注入管の接続口金が接続されることにより、上記連通路を開放する位置に移動させられる請求項１記載の内視鏡の配管接続部。
【請求項３】
上記送水タンク受け口金に上記洗浄水注入管の接続口金が接続された状態の時に上記注水器具受け口金の開口部を塞ぐための栓体が設けられている請求項１又は２記載の内視鏡の配管接続部。
【請求項４】
上記注水器具受け口金の開口部を塞ぐための栓体が、上記洗浄水注入管の接続口金と一体的に設けられている請求項３記載の内視鏡の配管接続部。
【発明の詳細な説明】
【技術分野】
【０００１】
この発明は内視鏡の配管接続部に関する。
【背景技術】
【０００２】
内視鏡には一般に、挿入部の先端に配置されている観察窓の表面に向けて吹き付ける水を通すための送水管路が内蔵されており、さらに一部の内視鏡には、観察対象である粘膜面の汚れを洗い流すために観察方向に向けて吹き出す水を通すための副送水管路が併設されている（例えば、特許文献１）。
【特許文献１】特開２００１−２９２９５８
【発明の開示】
【発明が解決しようとする課題】
【０００３】
内視鏡使用後に内視鏡を洗浄する際には、挿入部の外表面だけでなく、送水管路の内面等も洗浄水を通して完全に洗浄する必要がある。
したがって、主送水管路と副送水管路の二系統の送水管路が内蔵された内視鏡においては、管路内洗浄水を注入する洗浄水注入管を二系統設けて、それらを各送水管路に接続する必要がある。
【０００４】
しかし、副送水管路を有する内視鏡はごく一部なので、うっかりして洗浄水注入管の接続口金を副送水管路に接続することを忘れてしまう場合がある。また、内視鏡用洗浄装置によっては副送水管路用の洗浄水注入管が設けられていないものがあり、そのようなものでは副送水管路内の洗浄を行うことができない。
【０００５】
そこで本発明は、主送水管路と副送水管路の二系統の送水管路が内蔵された内視鏡において、主送水管路内を洗浄する際に同時に副送水管路内も確実に洗浄されるようにした内視鏡の配管接続部を提供することを目的とする。
【課題を解決するための手段】
【０００６】
上記の目的を達成するため、本発明の内視鏡の配管接続部は、挿入部の先端から放水する水を通すための主送水管路と副送水管路の二系統の送水管路が配管されて、主送水管路に送り込む水を貯留する送水タンクの接続口金が着脱自在に接続される送水タンク受け口金と、副送水管路に水を送り込むための注水器具が着脱自在に接続される注水器具受け口金とが併設された内視鏡の配管接続部において、送水タンク受け口金内と注水器具受け口金内とを連通させる連通路を設けると共に、送水タンクの接続口金が送水タンク受け口金に接続された状態では連通路を閉じ、管路内洗浄水を注入するための洗浄水注入管の接続口金が送水タンクの接続口金に代えて送水タンク受け口金に接続された状態においては連通路を開く連通路開閉弁を設けたものである。
【０００７】
なお、連通路開閉弁が、送水タンク受け口金に何も接続されていない状態では連通路を閉塞していて、送水タンク受け口金に洗浄水注入管の接続口金が接続されることにより、連通路を開放する位置に移動させられるようにしてもよい。
【０００８】
また、送水タンク受け口金に洗浄水注入管の接続口金が接続された状態の時に注水器具受け口金の開口部を塞ぐための栓体が設けられていてもよく、注水器具受け口金の開口部を塞ぐための栓体が、洗浄水注入管の接続口金と一体的に設けられていてもよい。
【発明の効果】
【０００９】
本発明によれば、主送水管路と副送水管路の二系統の送水管路が内蔵された内視鏡において、主送水管路内を洗浄する際に同時に副送水管路内も洗浄されるので、管路内洗浄水を注入する洗浄水注入管が一つしかない洗浄装置等を用いても、主送水管路内と副送水管路内を確実に洗浄することができる。
【発明を実施するための最良の形態】
【００１０】
送水タンク受け口金内と注水器具受け口金内とを連通させる連通路を設けると共に、送水タンクの接続口金が送水タンク受け口金に接続された状態では連通路を閉じ、管路内洗浄水を注入するための洗浄水注入管の接続口金が送水タンクの接続口金に代えて送水タンク受け口金に接続された状態においては連通路を開く連通路開閉弁を設ける。
【実施例】
【００１１】
図面を参照して本発明の実施例を説明する。
図２は内視鏡の全体構成における配管図であり、内視鏡は、可撓性の挿入部１の基端に操作部２が連結され、図示されていない光源装置に接続されるコネクタ部３が、操作部２から後方に延出する連結可撓管４の先端に取り付けられた構成になっている。
【００１２】
そして、ほとんど全ての配管（送気管路１１、主送水管路１２、吸引管路１５、副送水管路１９）が、連結可撓管４内から操作部２内を通って挿入部１内の全長にわたって挿通配置されている。
【００１３】
そして、挿入部１の先端面に配置されている観察窓の表面に吹き付ける空気と水を送るための送気管路１１と主送水管路１２については、その入口である送水タンク受け口金１３がコネクタ部３の側面に突設されて、途中位置の操作部２には送気送水操作弁１４が介挿接続されている。
【００１４】
また、吸引管路１５については、図示されていない外部吸引装置を接続するための吸引口金１７がコネクタ部３の送水タンク受け口金１３とは逆側の側面に突設されて、途中位置の操作部２に吸引操作弁１８が介挿接続され、処置具挿入口１６からの通路とも途中で連通している。
【００１５】
副送水管路１９は、被写体に向かって水を吹き付けるように挿入部１の先端面に観察方向に向けて開口していて、その入口である注水器具受け口金２０が送水タンク受け口金１３と並んでコネクタ部３の側面に突設され、注水器具受け口金２０内と送水タンク受け口金１３内とが連通路２１によって連通している。
【００１６】
図３は、コネクタ部３に並んで突設されている送水タンク受け口金１３と注水器具受け口金２０を示し、図４は、主送水管路１２に送り込む水を貯留する送水タンク４０の接続口金４１が送水タンク受け口金１３に接続されて、注水器具受け口金２０に注水器具５０が対向している状態を示している。
【００１７】
コネクタ部３から突出して設けられた送水タンク受け口金１３の口金筒２４には、送水タンク４０の接続口金４１が着脱自在に差し込み接続されて、バネ材からなるＣリング状のクリックバネ４２により着脱可能に係止される。
【００１８】
口金筒２４の底部には、送水タンク４０からの給水管路４３が接続される給水受け管２５が軸線位置に突設され、その接続面をシールするためのＯリング２６が給水受け管２５に装着されている。
【００１９】
また、そのように送水タンク４０の接続口金４１が口金筒２４に接続されると、送水タンク４０の接続口金４１に給水管路４３と並んで配置されている給気管路４４が、口金筒２４内を介して送気管路１１と連通した状態になる。
【００２０】
連通路２１の送水タンク受け口金１３側の開口３０は、口金筒２４の中間部分の側壁部に形成されており、その開口３０を口金筒２４の内側から閉塞する筒状の連通路開閉弁２７が、軸線方向に移動自在に口金筒２４内に嵌挿配置されている。３１は、連通路２１の開口３０の外周を全周にわたってシールするためのシール部材である。
【００２１】
連通路開閉弁２７は、圧縮コイルスプリング２８によって口金筒２４の奥側から口元側方向に向かって常時付勢されており、通常は、口金筒２４の内周部に固定的に取り付けられたストッパ２９に当接して、連通路２１の開口３０を閉塞した状態で静止している。
【００２２】
送水タンク受け口金１３に送水タンク４０の接続口金４１が接続された状態の時も、図４に示されるように、接続口金４１は連通路開閉弁２７に対して何らの外力を与えないので、連通路２１の開口３０は閉塞された状態を維持している。
【００２３】
そして、送気送水操作弁１４を操作することにより、送水タンク４０内に貯留されている水が給水管路４３から主送水管路１２内に送り込まれ、給気管路４４から送気管路１１内に空気を送り込むこともできる。
【００２４】
連通路２１の注水器具受け口金２０側の開口３８は、注水器具受け口金２０の口金筒３３の側壁部に形成されており、口金筒３３内の底部寄りの位置には、口金筒３３の底部中央に接続されている副送水管路１９方向に流体が流れ出るのを阻止するゴム製の逆止弁３６が配置されている。
【００２５】
逆止弁３６は、口金筒３３に対して口元の開口部側から挿脱自在な逆止弁支持筒３４の先端部分に取り付けられていて、逆止弁支持筒３４の側壁部分には通水孔３７が形成されている。３５はシール用のＯリング、３９は、逆止弁支持筒３４の手元側端部に取り付けられた摘み環である。
【００２６】
このような構成により、注水器具受け口金２０に（厳密には注水器具受け口金２０の逆止弁支持筒３４に）注水器具５０を接続して注水すると、その水が通水孔３７を通って、逆止弁３６を外面側から内側に向かって弾力的に変形させながら副送水管路１９内に送り込まれる。
【００２７】
内視鏡使用後に内視鏡の洗浄をする際には、図１に示されるように、管路内洗浄水を注入するための洗浄水注入管６０の接続口金６１を、送水タンク４０の接続口金４１に代えて送水タンク受け口金１３の口金筒２４に接続する。
【００２８】
またそれと同時に、注水器具受け口金２０の逆止弁支持筒３４にその口元開口部を閉塞する栓体７０を差し込む。７１は、逆止弁支持筒３４の内周面に密着するシール用のＯリング、７２は、逆止弁支持筒３４と弾力的に係合するＣリング状のクリックバネである。
【００２９】
洗浄水注入管６０の接続口金６１には、送水タンク受け口金１３の口金筒２４と係合するＣリング状のクリックバネ６２が取り付けられ、洗浄水注入管６０内と口金筒２４内とを連通させる注水路６３が、接続口金６１の軸線位置に貫通形成されている。
【００３０】
また、接続口金６１の先端部分には、接続口金６１が口金筒２４に差し込み接続された時に、圧縮コイルスプリング２８の付勢力に抗して連通路開閉弁２７を押し込んで、連通路２１の開口３０に面しない位置に連通路開閉弁２７を退避させる弁駆動用突起６５が突出形成されている。
【００３１】
その結果、洗浄水注入管６０の接続口金６１を送水タンク受け口金１３に差し込んで、洗浄水注入管６０から送水タンク受け口金１３に洗浄水を注水すると、その洗浄水が送水タンク受け口金１３の口金筒２４内から主送水管路１２内と送気管路１１内に送り込まれると同時に、連通路２１内を通って、注水器具受け口金２０側の逆止弁３６を弾力的に変形させながら副送水管路１９内に送り込まれて、それらの配管１１，１２，１９内を一挙に通水洗浄することができる。
【００３２】
なお、本発明は上記実施例に限定されるものではなく、例えば図５に示されるように、送水タンク受け口金１３に差し込まれる洗浄水注入管６０の接続口金６１と注水器具受け口金２０に差し込まれる栓体７０とを一体に連結した構成にすれば洗浄時のセッティングが楽であり、或いは、栓体７０をゴムバンド等で注水器具受け口金２０に繋いだ構成をとってもよい。
【００３３】
また、連通路２１を逆止弁３６より下流の副送水管路１９寄りの位置に接続すれば、栓体７０を省略することもできる。
【図面の簡単な説明】
【００３４】
【図１】本発明の実施例の内視鏡の配管接続部の管路内洗浄状態の側面断面図である。
【図２】本発明の実施例の内視鏡の全体構成における配管図である。
【図３】本発明の実施例の内視鏡の配管接続部の側面断面図である。
【図４】本発明の実施例の内視鏡の配管接続部の内視鏡使用状態の側面断面図である。
【図５】本発明の実施例の内視鏡の配管接続部の変形例の管路内洗浄状態の側面断面図である。
【符号の説明】
【００３５】
１  挿入部
２  操作部
３  コネクタ部
１１  送気管路
１２  主送水管路
１３  送水タンク受け口金
１９  副送水管路
２０  注水器具受け口金
２１  連通路
２４  口金筒
２７  連通路開閉弁
２８  圧縮コイルスプリング
３３  口金筒
３４  逆止弁支持筒
３６  逆止弁
４０  送水タンク
４１  接続口金
４３  給水管路
４４  給気管路
５０  注水器具
６０  洗浄水注入管
６１  接続口金
６３  注水路
６５  弁駆動用突起
７０  栓体
【図１】
2005211375.tif 000003
【図２】
2005211375.tif 000004
【図３】
2005211375.tif 000005
【図４】
2005211375.tif 000006
【図５】
2005211375.tif 000007
【手続補正書】
【提出日】平成16年2月25日(2004.2.25)
【手続補正１】
【補正対象書類名】明細書
【補正対象項目名】００２４
【補正方法】変更
【補正の内容】
【００２４】
連通路２１の注水器具受け口金２０側の開口３８は、注水器具受け口金２０の口金筒３３の側壁部に形成されており、口金筒３３内の底部寄りの位置には、口金筒３３の底部中央に接続されている副送水管路１９側から流体が流れ出るのを阻止するゴム製の逆止弁３６が配置されている。